(57)【要約】【課題】本発明は、建設現場における軟弱地盤の補強として基礎に打ち込まれた鋼管パイプの周面から半径外側に突出するアンカーピンを備えたアンカースパイラル杭に関する。【解決手段】本発明のアンカースパイラル杭は、前記ピン穴に嵌合する外径を有してピン穴開口縁に溶接され、内周面の一部に軸方向に沿って連通する所定幅の浅溝を形成し、該浅溝に先端が外向きで中心方向に立ち上がるように取付した板バネ８を設けた支持案内筒５と、該支持案内筒５に摺動自在に嵌合する外径を有し、前記板バネ幅のストッパー溝１０を形成し、該ストッパー溝１０の横断方向には前記板バネ８の先端が係合する複数個の突条１１を形成すると共に、鋼管パイプ１内部側に前記支持案内筒５より大径の円板からなるストッパー９が前記支持案内筒５を塞ぐように溶接固定されたアンカーピン６とからなるものである。【選択図】  図４
2004324207.tif 000002
【特許請求の範囲】
【請求項１】
先端に杭底板が溶接された鋼管パイプと、該鋼管パイプの地中に埋設される周面の複数個所に螺旋状に巻かれたスパイラル羽根と、該スパイラル羽根を避けて上下方向に隣接同士を角度９０°ずらして形成した複数個のピン穴と、該ピン穴開口縁に溶接してアンカーピンを案内する短円筒状の支持案内筒と、該支持案内筒に摺動自在に嵌合して鋼管パイプ周面から半径方向外側に突出するアンカーピンとからなるアンカースパイラル杭において、
前記ピン穴に嵌合する外径を有してピン穴開口縁に溶接され、内周面の一部に軸方向に沿って連通する所定幅の浅溝を形成し、該浅溝に先端が外向きで中心方向に立ち上がるように取付した板バネを設けた支持案内筒と、該支持案内筒に摺動自在に嵌合する外径を有し、鋼管パイプ内に格納される長さの円筒体からなり、前記円筒体の外周面の一部に前記支持案内筒の板バネに一致する軸方向に沿って前記板バネ幅のストッパー溝を形成し、該ストッパー溝の横断方向には前記板バネの先端が係合する複数個の突条を形成すると共に、鋼管パイプ内部側に前記支持案内筒より大径の円板からなるストッパーが前記支持案内筒を塞ぐように溶接固定されたアンカーピンとからなることを特徴とするアンカースパイラル杭。
【発明の詳細な説明】
【０００１】
【発明の属する技術分野】
本発明は、建設現場における軟弱地盤の補強として基礎に打ち込まれた鋼管パイプの周面から半径外側に突出するアンカーピンを備えたアンカースパイラル杭に関する。
【０００２】
【従来の技術】
従来、建設現場においては、軟弱地盤の補強のため鋼管パイプを埋設して地盤の補強が行われている。
しかし、軟弱地盤の補強を完全にするためには、鋼管パイプは鋼管パイプの径を太くするか、鋼管パイプを長くするかの処置が必要であった為、製造経費や作業時間が増大する等の問題が生じていた。
そこで、本出願人は、鋼管パイプの周面から半径外側に突出するアンカーピンを設けることにより、軟弱地盤の補強を行うアンカー基礎杭を発明し、特願２０００−３３４１２５号（特開２００２−１３８４７２号公報参照）として出願した。
上記鋼管パイプの周面から半径外側に突出するアンカーピンは、地盤圧力により押し戻されることが判明した。
【０００３】
【発明が解決しようとする課題】
そこで、本発明は、建設現場における軟弱地盤の補強として基礎に打ち込まれた鋼管パイプの周面から半径外側に突出するアンカーピンと該アンカーピンの戻りを防止する支持案内筒とからなるアンカースパイラル杭を提供することを目的とする。
【０００４】
【課題を解決するための手段】
本発明のアンカースパイラル杭は、先端に杭底板が溶接された鋼管パイプと、該鋼管パイプの地中に埋設される周面の複数個所に螺旋状に巻かれたスパイラル羽根と、該スパイラル羽根を避けて上下方向に隣接同士を角度９０°ずらして形成した複数個のピン穴と、該ピン穴開口縁に溶接してアンカーピンを案内する短円筒状の支持案内筒と、該支持案内筒に摺動自在に嵌合して鋼管パイプ周面から半径方向外側に突出するアンカーピンとからなるものにおいて、
前記ピン穴に嵌合する外径を有してピン穴開口縁に溶接され、内周面の一部に軸方向に沿って連通する所定幅の浅溝を形成し、該浅溝に先端が外向きで中心方向に立ち上がるように取付した板バネを設けた支持案内筒と、該支持案内筒に摺動自在に嵌合する外径を有し、鋼管パイプ内に格納される長さの円筒体からなり、前記円筒体の外周面の一部に前記支持案内筒の板バネに一致する軸方向に沿って前記板バネ幅のストッパー溝を形成し、該ストッパー溝の横断方向には前記板バネの先端が係合する複数個の突条を形成すると共に、鋼管パイプ内部側に前記支持案内筒より大径の円板からなるストッパーが前記支持案内筒を塞ぐように溶接固定されたアンカーピンとからなものである。
【０００５】
【実施例】
次に、本発明の一実施例を以下に説明する。
図１に示すように、本発明のアンカースパイラル杭は、先端に杭底板２が溶接された鋼管パイプ１と、該鋼管パイプ１の地中に埋設される周面の複数個所に螺旋状に巻かれたスパイラル羽根３と、該スパイラル羽根３を避けて上下方向に隣接同士を角度９０°ずらして形成した複数個のピン穴４と、図２に示すピン穴開口縁に溶接して、図３に示すアンカーピン６を案内する短円筒状の支持案内筒５と、該支持案内筒５に摺動自在に嵌合して鋼管パイプ１周面から半径方向外側に突出するアンカーピン６とからなる。
なお、前記アンカースパイラル杭の先端を小径筒で２段にし、スパイラル羽根３を螺旋状に巻いた形状にすることにより、掘削し易くすることもできる。
【０００６】
図２に示すように、前記支持案内筒５は、前記ピン穴４に嵌合する外径を有しピン穴４開口縁に溶接され、内周面の一部に軸方向に沿って連通する所定幅の浅溝７を形成し、該浅溝７に先端が外向きで中心方向に立ち上がるように、すなわち前記浅溝７の内部側に固定され、外部側に立ち上がり自由端を形成した板バネ８を取り付けた短円筒体である。
【０００７】
図３の平面図に示すように、前記アンカーピン６は、前記支持案内筒５に摺動自在に嵌合する外径を有し、前記鋼管パイプ１内に格納される長さの円筒体からなり、前記鋼管パイプ１の内部側に前記支持案内筒５より大径の円板からなるストッパー９がピン穴４開口の前記支持案内筒５を塞ぐように溶接固定されたものである。
また、前記アンカーピン６の外周面の一部に前記支持案内筒５の板バネ８に一致する軸方向に沿って前記板バネ８幅のストッパー溝１０を形成し、該ストッパー溝１０の横断方向には前記板バネ８の先端が係合する複数個の突条１１を形成する。
【０００８】
次に、本発明のアンカースパイラル杭の作動について以下に説明する。
図４に実線で示すように前記鋼管パイプ１が地中に埋設される時、前記アンカーピン６は鋼管パイプ１内に収納され、ストッパー溝１０の先端側の突条１１に板バネ８の先端が係合した状態で保持されている。
アンカースパイラル杭の旋回により鋼管パイプ１の埋設が完了すると、図示しないピン押出機構の作動によりアンカーピン６が鋼管パイプ１の半径外側に押し出され、前記アンカーピン６のストッパー溝１０の突条１１が板バネ８を押し上げながら前記アンカーピン６が地中に突出される。
そして、前記アンカーピン６のストッパー９が前記支持案内筒５の内端面に接触すると、図示しないピン押出機構の作動が完了し逆動作が行われて戻り、図４の仮想線で示すように前記板バネ８がアンカーピン６のストッパー溝１０の突条１１を乗り越え基端側に係合した状態、すなわち前記アンカーピン６が突出した状態で保持される。
【０００９】
このようにして、すべてのアンカーピン６を突出した状態に保持すれば、地盤圧力により押し戻される力が前記アンカーピン６に働いても板バネ８の先端がストッパー溝１０の突条１１に係合しているため前記アンカーピン６が戻ることはない。
【００１０】
【効果】
以上述べた如く、本発明のアンカースパイラル杭によれば、ピン穴に嵌合する外径を有しピン穴開口縁に溶接され、内周面の一部に軸方向に沿って連通する所定幅の浅溝を形成し、該浅溝に先端が外向きで中心方向に立ち上がるように形成した板バネを取り付けた支持案内筒と、該支持案内筒に摺動自在に嵌合する外径を有し、鋼管パイプ内に格納される長さの円筒体からなり、前記円筒体の外周面の一部に前記支持案内筒の板バネに一致する軸方向に沿って前記板バネ幅のストッパー溝を形成し、該ストッパー溝の横断方向には前記板バネの先端が係合する複数個の突条を形成すると共に、鋼管パイプの内部側に前記支持案内筒より大径の円板からなるストッパーがピン穴開口の前記支持案内筒を塞ぐように溶接固定されたアンカーピンとからなるので、地盤圧力により押し戻される力がアンカーピンに働いたとしても、板バネの先端がストッパー溝の突条に係合しているためすべてのアンカーピンが突出した状態に保持される。
【図面の簡単な説明】
【図１】本発明のアンカースパイラル杭の正面図である。
【図２】本発明の支持案内筒の（ａ）断面図、（ｂ）右側面図である。
【図３】本発明のアンカーピンの平面図である。
【図４】本発明のアンカーピンを組み込んだ状態の断面図である。
【符号の説明】
１  鋼管パイプ
２  底板
３  スパイラル羽根
４  ピン穴
５  支持案内筒
６  アンカーピン
７  浅溝
８  板バネ
９  ストッパー
１０  ストッパー溝
１１  突条
【図１】
2004324207.tif 000003
【図２】
2004324207.tif 000004
【図３】
2004324207.tif 000005
【図４】
2004324207.tif 000006